(57)【要約】【課題】  ジグソーパズルの枚数が変化した場合など厚みの異なる展示物を、適切に挟持可能な額縁本体とクリップとからなる額縁を提供することを目的とする。【解決手段】  シート状の展示物を展示する額縁本体２０及びクリップ３０からなる額縁１において、展示物の展示面を下側、周縁側を左側に見た時の額縁本体の断面が、外枠部２１と、展示面係止部２２、第１クリップ係止部２３、第２クリップ係止部２４を備える。またクリップの断面が、第２クリップ係止部と係合する第２クリップ係合部３１と、介設部３２、第１クリップ係合部３３、延伸部３４、少なくとも上下方向の弾性力を有する弾性部３５とを備える。本構成において、弾性部３５が、その下端近傍において展示面係止部２２との間で厚さの異なる展示物１０の裏面を挟持できるようにしたことを特徴とする。【選択図】図２
2016140681.tif 000002
【特許請求の範囲】
【請求項１】
シート状の展示物を展示する額縁本体及びクリップからなる額縁であって、
該展示物の展示面を下側、周縁側を左側に見た時の額縁本体の断面が、
上下方向に形成され周縁部を形成する外枠部と、
該外枠部の下端近傍から右方向に延設されて該展示面を係止する展示面係止部と、
該展示物よりも上方にあって該外枠部の中途位置から斜め右上方に延設される第１クリップ係止部と、
該外枠部の上端近傍から右方向に突設されて該クリップの一端を係止する第２クリップ係止部と
を少なくとも備えた形状であって、
該額縁本体の該展示面係止部に該展示物を係止させた後に装着した状態のクリップの断面が、
一端部であって該第２クリップ係止部と係合する第２クリップ係合部と、
該第２クリップ係合部から直下方に向かい、該第１クリップ係止部の上面に当接するように介設される介設部と、
該介設部から、該第１クリップ係止部の上面側に沿って斜め上方に延設され、該第１クリップ係止部の上端近傍において係止される第１クリップ係合部と、
該第１クリップ係合部の上端から右方向に向けて延伸した延伸部と、
該延伸部の右端から左下方向に湾曲して形成され、少なくとも上下方向の弾性力を有する弾性部と
を少なくとも備えた形状であって、
該弾性部が、その下端近傍において該展示面係止部との間で厚さの異なる該展示物の裏面を挟持できるようにした
ことを特徴とする額縁。
【請求項２】
前記クリップにおいて、
前記弾性部のいずれかの位置に、右方に向けて突設した離脱用突起部を備え、
該離脱用突起部を上方に引き上げることで、少なくとも該第１クリップ係合部を該第１クリップ係止部から離脱させるための回転力を生じるようにした
請求項１に記載の額縁。
【請求項３】
前記クリップにおいて、
前記弾性部における前記離脱用突起部の略反対側に、装着した状態で前記第１クリップ係止部の上端近傍の右側面と干渉する干渉突起部を備え、
該離脱用突起部を上方に引き上げることで、干渉状態も解除されるようにした
請求項２に記載の額縁。
【請求項４】
前記第１クリップ係合部の上端から左方向に向けて延伸すると共に、その左端を折り返し形状として紐を掛けられるように形成した紐掛け部を備えた
請求項１ないし３のいずれかに記載の額縁。
【請求項５】
前記請求項１ないし４のいずれかに記載の額縁で用いられる額縁用クリップ。
【請求項６】
前記額縁が、少なくともジグソーパズルを展示可能な額縁であって、前記展示物が、
ジクソーパズルの展示面を覆う透明板と、２枚以上の完成したジグソーパズルと、ジクソーパズルの裏面を押さえる背板とからなり、
完成したジグソーパズルの収納機能を併せて有する請求項１ないし４のいずれかに記載の額縁。
【発明の詳細な説明】
【技術分野】
【０００１】
本発明は、シート状の展示物を展示する額縁本体及びクリップからなる額縁に係り、特に厚みの異なる展示物を展示可能な額縁に関する。
【背景技術】
【０００２】
ジグソーパズルはピースを組み立てて完成させた後、額縁に入れて展示することが一般的である。例えば１０００ピースのジグソーパズル用として、縦横５１ｃｍ×７３．５ｃｍのアルミ製フレームの額縁が提供されている。額縁の構成は、ジグソーパズルの外周を囲む額縁本体の中に、展示面側から、透明板、完成済みジグソーパズル、背板を順に挟み、さらにクリップで額縁本体と背板を固定する。
【０００３】
ジグソーパズルの愛好者は複数のジグソーパズルを完成させているが、展示スペースの関係から、その収納場所に困っていることが多い。従来の額縁でも２枚程度であれば無理をして入るものもあったが、２枚を入れてしまうと額縁本体やクリップが変形し、次に１枚を入れると適切に固定できなくなる問題があった。また、３枚以上を収納することは不可能であった。
【０００４】
ジグソーパズルに限らず、写真の背面に貼着する発泡マットや、絵画のキャンバスなど厚みが変化する展示物についても、上記と同様の問題がある。さまざまな厚みに対応可能な額縁の提供が求められている。
【０００５】
従来知られている額縁として特許文献１が開示されている。特許文献１は、枠体と係止部材とで背板等の被収容部材の外縁辺を挟持させることによって、枠体の外周方向への湾曲を防止した枠体構造を創案したものである。本発明の構成は、複数の枠体と、複数の枠体で内抱保持される被収容部材と、係止部材とから成り、被収容部材に係止部を形成し、係止部と枠体とを係止部材で挟持させる構成である。更に、枠体へ枢動軸受部を形成し、係止部材に枢動軸支点を形成した枢動基部を形成し、枢動基部から弾性片を延設させ、弾性片の先端部を係止部へ係止し挟持させた構成であり、更には、係止部材の枢動を固定又は固定解除させるロック部材を付設した構成であり、加えて、枢動軸受部と係着部を形成した枠体と、被収容部材と、枢動軸支点を形成した枢動基部から弾性片を延設させた係止部材とから成り、弾性片の先端部と係着部とによって被収容部材を挟持させた構成である。
【先行技術文献】
【特許文献】
【０００６】
【特許文献１】特開平０７−３０２０５０号公報
【発明の概要】
【発明が解決しようとする課題】
【０００７】
本発明は、このような従来技術の有する問題点に鑑みて創出されたものであり、ジグソーパズルの枚数が変化した場合など厚みの異なる展示物を、適切に挟持可能な額縁本体とクリップとからなる額縁を提供することを目的とする。
【課題を解決するための手段】
【０００８】
本発明は、上記課題を解決するために次のような額縁を提供する。
すなわち、請求項１に記載の発明によれば、シート状の展示物を展示する額縁本体及びクリップからなる額縁を提供することができる。
展示物の展示面を下側、周縁側を左側に見た時の額縁本体の断面が、上下方向に形成され周縁部を形成する外枠部と、外枠部の下端近傍から右方向に延設されて展示面を係止する展示面係止部と、展示物よりも上方にあって外枠部の中途位置から斜め右上方に延設される第１クリップ係止部と、外枠部の上端近傍から右方向に突設されてクリップの一端を係止する第２クリップ係止部とを少なくとも備えた形状とする。
【０００９】
また、額縁本体の展示面係止部に展示物を係止させた後に装着した状態のクリップの断面が、一端部であって第２クリップ係止部と係合する第２クリップ係合部と、第２クリップ係合部から直下方に向かい、第１クリップ係止部の上面に当接するように介設される介設部と、介設部から第１クリップ係止部の上面側に沿って斜め上方に延設され、第１クリップ係止部の上端近傍において係止される第１クリップ係合部と、第１クリップ係合部の上端から右方向に向けて延伸した延伸部と、延伸部の右端から左下方向に湾曲して形成され、少なくとも上下方向の弾性力を有する弾性部とを少なくとも備えた形状とする。
本構成において、弾性部が、その下端近傍において展示面係止部との間で厚さの異なる展示物の裏面を挟持できるようにしたことを特徴とする。
【００１０】
請求項２に記載の発明によれば、上記のクリップにおいて、上記の弾性部のいずれかの位置に、右方に向けて突設した離脱用突起部を備え、離脱用突起部を上方に引き上げることで、少なくとも第１クリップ係合部を第１クリップ係止部から離脱させるための回転力を生じるようにしてもよい。
【００１１】
請求項３に記載の発明によれば、上記のクリップにおいて、上記の弾性部における上記の離脱用突起部の略反対側に、装着した状態で上記の第１クリップ係止部の上端近傍の右側面と干渉する干渉突起部を備え、離脱用突起部を上方に引き上げることで、干渉状態も解除されるようにしてもよい。
【００１２】
請求項４に記載の発明によれば、上記の第１クリップ係合部の上端から左方向に向けて延伸すると共に、その左端を折り返し形状として紐を掛けられるように形成した紐掛け部を備えることもできる。
【００１３】
請求項５に記載の発明によれば、上記の額縁で用いられる額縁用クリップを提供することもできる。
【００１４】
請求項６に記載の発明によれば、上記の額縁が、少なくともジグソーパズルを展示可能な額縁であって、上記の展示物が、ジクソーパズルの展示面を覆う透明板と、２枚以上の完成したジグソーパズルと、ジクソーパズルの裏面を押さえる背板とからなり、完成したジグソーパズルの収納機能を併せて有する構成でもよい。
【発明の効果】
【００１５】
本発明の額縁によれば、ジグソーパズルの枚数が変化した場合など厚みの異なる展示物を、適切に挟持可能な額縁本体とクリップとからなる額縁を提供することができる。特に、弾性部によって様々な厚みを弾性力で展示面係止部に向けて効果的に押圧し挟持することができる。また、干渉突起部によって、展示状態においてクリップが離脱しにくく構成することができる。
【図面の簡単な説明】
【００１６】
【図１】本発明の額縁の構造を示す斜視図である。
【図２】本発明の額縁の展示状態における断面図である。
【図３】本発明の額縁の離脱開始時における断面図である。
【図４】本発明の額縁の紐掛け時における断面図である。
【図５】本発明に係るジグソーパズルの収納機能を備えた額縁の説明図である。
【発明を実施するための形態】
【００１７】
以下、本発明の実施形態を、図面に示す実施例を基に説明する。なお、実施形態は下記に限定されるものではない。
図１は、本発明の額縁の構造を示す斜視図であり、図２は展示状態における断面図である。図示されるように、本発明は例えばジグソーパズルなど、シート状の展示物（１０）を展示する額縁本体（２０）と、複数のクリップ（３０）からなる額縁（１）である。
【００１８】
額縁本体（２０）はアルミニウムやステンレス等の金属、又は樹脂で形成され、図２に示すような断面を有している。
図２は、展示物（１０）の展示面（１０ａ）を下側、周縁側を左側に見た時の額縁本体（２０）の断面を示している。まず額縁本体の形状について、この向きに従って説明する。
【００１９】
額縁本体（２０）は、上下方向に形成され周縁部を形成する外枠部（２１）、その外枠部の下端近傍から右方向に延設されて展示面（１０ａ）を係止する展示面係止部（２２）、展示物（１０）よりも上方にあってその外枠部（２１）の中途位置から斜め右上方に延設される第１クリップ係止部（２３）、外枠部（２１）の上端近傍から右方向に突設されてクリップ（３０）の一端（３１ａ）を係止する第２クリップ係止部（２４）を備えた形状である。
【００２０】
展示面係止部（２２）は、下向きに湾曲した形状であって、外観の美感を向上させると共に、展示物（１０）に対してある程度の弾性をもって後述するクリップとの間で挟持する。また、第１クリップ係止部（２３）は斜め上方に向かって円弧を描いており、その中心は第２クリップ係止部（２４）付近である。
さらに第２クリップ係止部は、クリップ（３０）の一端（３１ａ）を上方に係止する上面係止部（２４ａ）と、左方に係止する左面係止部（２４ｂ）とが形成されている。
【００２１】
次にクリップ（３０）について説明する。クリップ（３０）は可撓性を有する素材が好ましく、本実施例ではポリアセタール製である。図２には装着状態のクリップの断面を示す。
クリップ（３０）には、クリップの一端（３１ａ）であって第２クリップ係止部（２４）と係合する第２クリップ係合部（３１）、該第２クリップ係合部（３１）から直下方に向かい、第１クリップ係止部（２３）の上面に当接するように介設される介設部（３２）、該介設部（３２）から、第１クリップ係止部（２３）の上面側に沿って斜め上方に延設され、該第１クリップ係止部の上端近傍において係止される第１クリップ係合部（３３）を有する。
さらにクリップ（３０）は、第１クリップ係合部（３３）の上端から右方向に向けて延伸した延伸部（３４）、該延伸部（３４）の右端から左下方向に湾曲して形成され、少なくとも上下方向の弾性力を有する弾性部（３５）を少なくとも備えた形状である。
【００２２】
第２クリップ係合部（３１）は、上記のように第２クリップ係止部（２４）の上面係止部（２４ａ）と、左面係止部（２４ｂ）によって上面と左面とが係止されているため、第２クリップ係止部（２４）を支点としてクリップ（３０）が反時計回りに回転した際には係止状態から離脱する。
【００２３】
介設部（３２）はこの回転の略半径と一致する長さであり、介設部（３２）の下端（３２ａ）が第１クリップ係止部（２３）の上面側と当接することでクリップの脱着時や固定時の安定性の向上に寄与している。
【００２４】
第１クリップ係合部（３３）は図示のように上端右側面に溝（３３ａ）を設け、この溝（３３ａ）に第１クリップ係止部（２３）の上端における左突起部（２３ａ）が嵌合して係止機構を構成している。この係止機構はこれに限定されない。例えば、突起と溝の関係が逆であってもよい。
【００２５】
本実施例において、延伸部（３４）及び弾性部（３５）は、他の部位に対して相対的に厚みを薄く形成している。そのため、特に弾性部（３５）における可撓性を向上させている。厚みを薄くする部分は本実施例のように延伸部（３４）及び弾性部（３５）でもよいが、少なくとも弾性部（３５）とすることが好ましい。
本構成によれば、弾性部（３５）が、その下端近傍において展示面係止部（２２）との間で厚さの異なる展示物（１０）の裏面（１０ｂ）を挟持することができる。
【００２６】
本発明では、上記のクリップ（３０）において、弾性部（３５）のいずれかの位置、特に中央又は上方に右方に向けて突設した離脱用突起部（３６）を備えてもよい。後述するように、この離脱用突起部（３６）を上方に引き上げることで、少なくとも第１クリップ係合部の左突起部（２３ａ）を第１クリップ係止部の溝（３３ａ）から離脱させるための回転力を生じさせることができる。
【００２７】
また、弾性部（３５）におけるこの離脱用突起部（３６）の略反対側に、装着した状態で第１クリップ係止部（２３）の上端近傍の右側面に設けられた右突起部（２３ｂ）と干渉する干渉突起部（３７）を備えてもよい。この場合、離脱用突起部（３６）を上方に引き上げることで、干渉突起部（３７）と第１クリップ係止部（２３）の右突起部（２３ｂ）との干渉状態も解除することができる。
【００２８】
図２に示されるクリップ（３０）の装着状態において、展示物（１０）によって弾性部（３５）の下端部（３５ａ）が上方に引き上げられると、弾性部（３５）の同じ円弧上から突設された干渉突起部（３７）も円周方向に変位する。図の矢印（Ａ，Ｂ）はその時の力の向きと変位量を示している。
このように、本発明の形状によれば、装着状態において干渉突起部（３７）と右突起部（２３ｂ）との干渉によってクリップ（３０）が確実に固定される。
【００２９】
図３は、本発明の額縁の離脱開始時における断面図である。
使用者がクリップ（３０）を離脱させようとした時、離脱用突起部（３６）を図の矢印Ｃの向きに引き上げる操作を行う。これにより弾性部（３５）は展示物の裏面（１０ｂ）に押されて上方向に変形する。離脱用突起部（３６）の引き上げと、弾性部（３５）の変形に伴って、干渉突起部（３７）は下向きに変位するため右突起部（２３ｂ）との解消状態が解除される。
【００３０】
さらに、離脱用突起部（３６）を図の矢印Ｃの向きに引き上げる操作によって、第２クリップ係止部（２４）を支点としてクリップ（３０）が反時計回りに回転するため、第１クリップ係合部（３３）の溝（３３ａ）と、第１クリップ係止部（２３）の左突起部（２３ａ）が嵌合した係止機構部分には矢印Ｅの方向の力が作用する。
【００３１】
本構造によって、クリップ（３０）の可撓性により係止状態からクリップを離脱することができる。このとき、矢印Ｃの力と、係止機構部分に作用する矢印Ｅの力は、第２クリップ係止部（２４）を支点としたてこの原理により、小さな力（Ｃ）をかけることで離脱させるための大きな力（Ｅ）を加えることができる。
【００３２】
さらに別の実施形態として、本発明のクリップ（３０）には紐掛け部（３８）を備えてもよい。図４に示すように、紐掛け部（３８）は、第１クリップ係合部（３３）の上端から左方向に向けて延伸すると共に、その左端を折り返し形状（３８ａ）として紐を掛けられるように形成する。
【００３３】
従来のクリップでは紐掛け部を形成すると、紐の張力によってクリップが離脱しやすくなるため設けることが難しい問題があった。
本発明では、紐（４０）を掛けた時に、紐の張力方向（Ｆ）に対し、溝（３３ａ）と左突起部（２３ａ）の係止機構部分では係止されやすい方向（Ｇ）が作用する。これは、第２クリップ係止部（２４）を支点とした同心円の同じ円周方向にＦとＧが作用するためである。
また、右突起部（２３ｂ）を支点とした紐の張力方向（Ｆ）の作用として、干渉突起部（３７）の干渉部位において矢印Ｈに力が生じ、より係止するように働く。
【００３４】
本発明は以上の構成を備えた額縁本体（２０）とクリップ（３０）とから提供することができるが、同様の額縁本体（２０）と共に用いられるためのクリップ（３０）単体で提供してもよい。
【００３５】
また、本発明の額縁は特に複数のジグソーパズルを収納する際に好適である。
図５は、ジグソーパズルの収納機能を備えた額縁の説明図である。本実施例では、展示物（１０）として、ジクソーパズルの展示面を覆う透明板（５０）と、２枚以上の完成したジグソーパズル（５１）（５２）（５３）と、ジクソーパズルの裏面を押さえる背板（５４）とからなる。
【００３６】
使用者は、完成させたジグソーパズルのうち、展示するもの（５１）を最前面に配置し、その他の収納するジグソーパズル（５２）（５３）は背面側に積層させる。従って、最前面のジグソーパズル（５１）と、背板（５４）との間に２枚を収納できることになる。
【００３７】
従来、複数のジグソーパズルをこのように収納ことは額縁本体（２０）の展示面係止部（２２）と、第１クリップ係止部（２３）との間隔から難しかった。この間隔を広げることも、展示物の厚みを変化させても適切に挟持できるクリップ（３０）が提供されていなかったため困難であった。
本発明では上記のようにクリップ（３０）の弾性部（３５）が様々な厚みに対応できるように形成したため、額縁本体（２０）の展示面係止部（２２）と、第１クリップ係止部（２３）との間隔を、ジグソーパズルが例えば５枚程度収納できるように拡げることも可能である。これにより、収納機能を備えた額縁を提供することができる。
【符号の説明】
【００３８】
１    額縁
１０  展示物
２０  額縁本体
２１  外枠部
２２  展示面係止部
２３  第１クリップ係止部
２４  第２クリップ係止部
３０  クリップ
３１  第２クリップ係合部
３２  介設部
３３  第１クリップ係合部
３４  延設部
３５  弾性部
３６  離脱用突起部
３７  干渉突起部
３８  紐掛け部
４０  紐
【図１】
2016140681.tif 000003
【図２】
2016140681.tif 000004
【図３】
2016140681.tif 000005
【図４】
2016140681.tif 000006
【図５】
2016140681.tif 000007